(57)【要約】【課題】使用者が指に着用でき、輸液導入管の加温性が優れかつコンパクトな輸液加温具を得る。【解決手段】  輸液瓶体１と注射針５との間を接続する輸液導入管３を有する輸液加温具において、前記輸液導入管３の一部を屈曲または湾曲させ、前記輸液導入管に流れる輸液の通過方向が一方向の部分とその逆方向の部分とを隣接させて前記輸液導入管３の団塊加温部を構成した輸液加温具。【選択図】図１
2007244833.tif 000002
【特許請求の範囲】
【請求項１】
輸液瓶体と注射針との間を接続する輸液導入管を有する輸液加温具において、前記輸液導入管の一部を屈曲または湾曲させ、前記輸液導入管に流れる輸液の通過方向が一方向の部分とその逆方向の部分とを隣接させて前記輸液導入管の団塊加温部を構成したことを特徴とする輸液加温具。
【請求項２】
輸液瓶体と注射針との間を接続する輸液導入管を有する輸液加温具において、前記輸液導入管とは別体で形成した部材により、前記輸液導入管に流れる輸液の通過方向が一方向の部分とその逆方向の部分とを隣接させて輸液流路を形成した団塊加温部を備え、前記輸液導入管と前記団塊加温部とを接続したことを特徴とする輸液加温具。
【発明の詳細な説明】
【技術分野】
【０００１】  本発明は、輸液導入管を加温する輸液加温具に関する。
【背景技術】
【０００２】  従来、輸液を加温する輸液加温具として、特許文献１に記載の輸液加温手段が簡便に用いられている。
特許文献１に記載の輸液加温具は、発熱体の片面に輸液導入管を蛇行して設けることが好ましいと提案され、そして蛇行させるにはプラスチックまたは金属製の蛇行型ならびに発熱体自身に同様な蛇行型の溝を成形して設け、それに沿って輸液導入管を設けると短時間に蛇行のセットができ、操作面で好結果を与えたと、記載されている。【０００３】
【特許文献１】  実公昭５７−２９８０３
しかしながら、前記従来の蛇行型によるものでは輸液導入管の弾力性のため、湾曲部が大きくなり、コンパクトな形状が構成できなかった。
また、発熱体として化学カイロを使用するとき、化学カイロの熱エネルギーが十分でないため、十分に加温距離を確保する必要があり、コンパクト化がしがたいという欠点があり、単に輸液導入管を蛇行させたのみでは、コンパクトな輸液加温具を得ることができなかった。
【発明の開示】
【発明が解決しようとする課題】
【０００４】
【０００５】  本発明は上記のような課題を解決するためになされたものであり、使用者が指の先などに着用したまま長時間の加温しながら移動できる輸液加温具を提供するものである。すなわち所望する場所で輸液の加温化を図ることができる加温性の優れた輸液加温具を提供することを目的とする。
【課題を解決するための手段】
【０００６】  請求項１に係る輸液加温具は、輸液瓶体と注射針との間を接続する輸液導入管を有する輸液加温具において、前記輸液導入管の一部を屈曲または湾曲させ、前記輸液導入管に流れる輸液の通過方向が一方向の部分とその逆方向の部分とを隣接させて前記輸液導入管の団塊加温部を構成したことを特徴とする。【０００７】    また、請求項２に係る輸液加温具は、輸液瓶体と注射針との間を接続する輸液導入管を有する輸液加温具において、前記輸液導入管とは別体で形成した部材により、前記輸液導入管に流れる輸液の通過方向が一方向の部分とその逆方向の部分とを隣接させて輸液流路を形成した団塊加温部を備え、前記輸液導入管と前記団塊加温部とを接続したことを特徴とする。
【発明の効果】
【０００８】  以上のような本発明によれば、指に着用することにより常時加温することができ、しかも簡便な構成のためコンパクトな輸液加温具により容易に加温することができる。
【発明を実施するための最良の形態】
【０００９】    以下、本発明の実施例について図面に基づき詳細に説明する。
【実施例１】  図１は本発明の輸液加温具の使用状態を示す説明図である。
図１において、１は輸液瓶体、２は点滴筒、３は輸液導入管、４は本発明の実施例に係る輸液加温具、５は注射針、６は手、７は指である。【００１０】  この構成において輸液加温具４は、手６の指７に着用され、注射針５はたとえば手７の甲に刺される。そのため輸液加温具４は患者の身動きし易い状態で、しかもコンパクトであるため患者の移動性が極めて向上する。以下、輸液加温具の詳細について説明する。【００１１】  図２は、輸液加温具の団塊加温部の実施例１を示す平面図である。
図２において、１０は輸液加温具４内の輸液導入管３自体に形成された輸液を取り入れる輸液入口、１１は輸液出口、１２は輸液導入管３自体を屈曲させひとかたまりに成形した団塊加温部であり、輸液導入管３の一部を屈曲させて、図中矢印のように輸液の通過方向が一方向部分と逆方向部分とが隣接するように成形される。【００１２】  このため輸液入口１０から輸液出口１１までの距離は直線にしたときに比べて約２倍以上長く形成することができる。すなわち輸液導入管３自体で団塊加温部を長く成形し発熱体との接触面積が多くなることにより輸液の加温距離を長くし、かつ外形の大きさを小さくしてコンパクトな輸液加温具を構成することができる。
【実施例２】
【００１３】  図３は、団塊加温部の実施例２を示す内部構造図である。
図３において、２０は輸液加温具の加温部分を従来の輸液導入管３とは別体で形成した部材を用いた団塊加温部、２１は団塊加温部２０内で輸液の流れを蛇行させるための流路隔壁である。【００１４】  図４は図３に示す団塊加温部の側面図である。
図４において、２２は上側団塊加温部、２３は下側団塊加温部であり、上下２個に分割して製作される団塊加温部である。通常上側団塊加温部２２と下側団塊加温部２３が相対向して接着剤で接着されて製作される。
この輸液導入管の団塊加温部において、流路隔壁２１は、より長い加温経路を形成するため流路を蛇行させ、図中矢印のように輸液が長く流れるように設定することができる。【００１５】  なお、上側団塊加温部２２、下側団塊加温部２３の材質に応じて、流路隔壁２１の数や幅を設定して、輸液流路の長さと幅を調整し得るので設計上の自由度が大きく、加温効果を確保しやすい。【００１６】  以上のように実施例２によれば、輸液を屈曲された団塊加温部で長く加温させ、その輸液を人体に取り込むことができるので患者の苦痛を和らげると共に、コンパクトな輸液加温具が得られる。
すなわち、本発明は、化学カイロのような熱エネルギーの少ない発熱体を用いても多くの輸液を効率良くしかもコンパクトに加温化でき、長期間使用可能な輸液加温具を得ることができる。
【実施例３】
【００１７】  図５は実施例３を示す輸液導入管の団塊加温部の平面図である。
図５において、３０は輸液導入管をＳ字上に形成したときの直線部、３１は湾曲部、３２は接着部、３３は直線部３０のみ、または湾曲部３１とを含む団塊加温部である。
この場合は輸液導入管３を並列に３本並べ、直線部３０を長く形成している。そして、並列になっている直線部３０を接着剤で接着して接着部３２を形成する。湾曲部３１は折れ曲がることなく適度に湾曲させる。直線部３０を長く形成することで輸液の通過時間を長くし、効率のよい団塊加温部３３を得ることができる。【００１８】  この実施例３の輸液導入管の団塊加温部３３によれば、並列配置する輸液導入管数を増加させることにより、加温量を拡大させ、より高い加温効果を得ることができ、長時間の治療に適応したコンパクトな輸液加温具を得ることができる。
【実施例４】
【００１９】  図６は実施例４を示す輸液導入管を湾曲させた団塊加温部の平面図である。
図６において、４０は輸液導入管自体をらせん状に湾曲させた団塊加温部、４１は接着部である。【００２０】  湾曲させたひとかたまりの団塊加温部４０であるため、円周に沿って中心方向に巻き付ければ良いため製造が容易であると共に、加温できる距離が長くしかも輸液の流れが阻害されにくい構成とすることができるので加温効果が高くコンパクトな輸液加温具を得ることができる。
【実施例５】
【００２１】  図７は従来の輸液導入管を並列配置したときの断面図である。
図７において、５０は断面形状が円形の輸液導入管を用いた団塊加温部、５１は接着部である。
５本の輸液導入管を並列配置して接着すれば図７のようになるが、輸液導入管の断面形状を次のように工夫することにより、よりコンパクトに形成することができる。【００２２】  図８は輸液導入管の断面形状を四角にした断面図である。
図８において、６０は四角形状の輸液導入管を用いた団塊加温部、６１は接着部である。
四角形状の輸液導入管による輸液加温具の団塊加温部を有することにより、図７の円形のものより、発熱体との接触面積を増加させることができるので加温効率を向上させることができる。【００２３】  図９は輸液導入管の断面形状を三角にした断面図である。
図９において、７０は三角形状の輸液導入管の団塊加温部、７１は接着部である。
三角形状の輸液導入管による輸液加温具の団塊加温部７０は図７の円形のものや、図８の四角のものより、さらにコンパクトに構成することができる。また、発熱体との接触面積も増加させることができ、加温効率をさらに上げることができる。
【実施例６】
【００２４】  図１０は輸液加温具の使用方法を示す要部断面図である。
図１０において、８０は輸液加温具、８１は輸液導入管からなる団塊加温部、８２は化学カイロからなる発熱体、８３は発熱体８２から出る熱の反射板、８４は指、８５は弾性体による指止めである。【００２５】  輸液加温具８０は指８４に指止め８５を差し込み固定させ、発熱体８２で蛇行した輸液導入管の団塊加温部８１を加温しながら使用する。指８４に固定できるコンパクトの形態のため、患者の移動に伴って容易に持ち運びができる。
【実施例７】
【００２６】  図１１は輸液加温具に係る実施例７を示す断面図である。
図１１において、９０は輸液加温具、９１は輸液導入管からなる団塊加温部、９２は電気式の発熱体、９３は発熱体９２から出る熱の反射板、９４は指止め、９５はスイッチ、９６は乾電池である。【００２７】  図１１のように輸液加温具９０に使用する発熱体９２は電気式のもので良く、指止め９４を指に差し込み固定できる。
なお、輸液加温具の外形は円柱状や平面状など種々の実施例が可能である。
【産業上の利用可能性】
【００２８】  本発明の輸液加温具は輸液導入管自体を成形する産業や、別体としての成形型の製造業に適用可能である。
【図面の簡単な説明】
【００２９】
【図１】本発明の輸液加温具の使用状態を示す説明図である。
【図２】団塊加温部の実施例１を示す平面図である。
【図３】団塊加温部の実施例２を示す内部構造図である。
【図４】図３の側面図である。
【図５】団塊加温部の実施例３を示す平面図である。
【図６】団塊加温部の実施例４を示す平面図である。
【図７】輸液加温具の輸液導入管の断面図である。
【図８】輸液導入管の実施例５を示す断面図である。
【図９】輸液導入管の他の実施例を示す断面図である。
【図１０】輸液加温具の実施例６の使用方法を示す要部断面図である。
【図１１】輸液加温具の実施例７を示す断面図である。
【符号の説明】
【００３０】      １  輸液瓶体
２  点滴筒
３  輸液導入管
４  輸液加温具
５  注射針
６  手
７  指
１０  輸液入口
１１  輸液出口
１２  団塊加温部
２０  団塊加温部
２１  流路隔壁
２２  上側団塊加温部
２３  下側団塊加温部
３０  直線部
３１  湾曲部
３２  接着部
３３  団塊加温部
４０  団塊加温部
４１  接着部
５０  団塊加温部
５１  接着部
６０  団塊加温部
６１  接着部
７０  団塊加温部輸液導入管
７１  接着部
８０  輸液加温具
８１  団塊加温部輸液導入管
８２  発熱体
８３  反射体
８４  指
８５  指止め
９０  輸液加温具
９１  団塊加温部
９２  発熱体
９３  反射体
９４  指止め
９５  スイッチ
９６  乾電池
【図１】
2007244833.tif 000003
【図２】
2007244833.tif 000004
【図３】
2007244833.tif 000005
【図４】
2007244833.tif 000006
【図５】
2007244833.tif 000007
【図６】
2007244833.tif 000008
【図７】
2007244833.tif 000009
【図８】
2007244833.tif 000010
【図９】
2007244833.tif 000011
【図１０】
2007244833.tif 000012
【図１１】
2007244833.tif 000013